(57)【特許請求の範囲】
【請求項１】
分断されているケーブルを接続するために、一方のケーブルに取り付けた筒状の圧着スリーブに対して他方のケーブルの心線を挿入するためのケーブル挿入補助具において、前記一方のケーブルを狭持する狭持手段に取り付けられる取付部と、該取付部に対して一端側が連結されると共に、該一端側を支点にして下方に向けて傾倒可能に連結されたケーブル受け部と、該ケーブル受け部の姿勢を維持させるべく、前記ケーブル受け部を上方に向けて付勢するための付勢手段とを備え、前記ケーブル受け部は、前記狭持手段に狭持された前記一方のケーブルの長さ方向に延びる溝部を備え、該溝部は、前記長さ方向と直交する方向で前記圧着スリーブの移動を規制した状態で、該圧着スリーブを位置決め可能であると共に、他端側が開放して形成されていることを特徴とするケーブル挿入補助具。
【請求項２】
前記ケーブル受け部は、一端同士が接続されて互いに傾斜する一対の対向片間に前記溝部が形成されたケーブル受け部本体と、前記一対の対向片同士を接続した接続線に対して交差する方向に前記ケーブル受け部本体から垂下した把持片とを備えていることを特徴とする請求項１に記載のケーブル挿入補助具。
【請求項３】
前記ケーブル受け部は、前記溝部の延びる方向に対して直交する方向に延びる軸周りで、前記取付部に対して回転可能に枢着されていることを特徴とする請求項１又は２に記載のケーブル挿入補助具。
【請求項４】
前記取付部に連結されて前記一方のケーブルを狭持可能に構成された狭持手段をさらに備え、前記狭持手段は、互いの一端側同士を接離可能に連結された一対のアーム部材と、該一対のアーム部材の一端側同士を互いに圧接させるための付勢手段とを備え、前記一対のアーム部材は、他端側に前記一端側を離間させるための把持部が形成されていることを特徴とする請求項１に記載のケーブル挿入補助具。
【発明の詳細な説明】
【技術分野】
【０００１】
本発明は、分断されているケーブルを接続するために、一方のケーブルに取り付けた筒状の圧着スリーブに対して他方のケーブルの心線を挿入するためのケーブル挿入補助具に関する。
【背景技術】
【０００２】
高圧引下線などの架線工事や保守点検等の作業において、作業者の安全性を確保するために、絶縁操作棒等の間接活線工具を用いて行う間接活線工法が提案されている。そして、このような作業において、分断されているケーブル同士を接続する作業を行う場合がある。この場合、分断されているケーブルは、絶縁被覆体の先端部が剥がされて露出された心線同士が、高い導電性を有する金属性の筒状の圧着スリーブを介して接続される。これに伴って、分断されているケーブルを圧着スリーブ内に挿入する作業が伴う。
【０００３】
より具体的に説明すると、上記作業において、送電方向下流側の一方のケーブルを圧着スリーブに接続する場合、間接活線工法によって作業を行ってもよいが、送電方向下流側の一方のケーブルでは通電が行われていないので、一方のケーブルの心線を圧着スリーブ内に挿入して圧着する作業は、作業者が手作業で作業を行うことが一般的である。これに対して、他方のケーブルでは通電が行われているので、一方のケーブルに取り付けた圧着スリーブに対する他方のケーブルの心線の挿入作業及び圧着スリーブの圧縮作業は、作業者が、絶縁ヤットコ等の間接活線工具を用いた間接活線工法によって作業を行う。
【０００４】
かかる作業においては、作業者が絶縁ヤットコ等の間接活線工具を用いて、遠方に離れた位置にある他方のケーブルと圧着スリーブとを位置合わせしながら他方のケーブルの心線を圧着スリーブ内に挿入して接続する必要があるため、作業者の手ぶれやふらつき等によって作業が不安定になり、他方のケーブルの心線と圧着スリーブとを位置合わせしにくく、圧着スリーブに対する他方のケーブルの心線の挿入がしづらいという問題があった。また、上記作業を分担して複数の作業者によって作業を行う場合、複数の作業者が、目測によって互いにタイミングを合わせて作業を行う必要があるため、挿入作業に困難性を伴い作業効率が悪いという問題があった。
【０００５】
そこで、他方のケーブルの心線を圧着スリーブ内に容易に挿入しやすくしたケーブル挿入補助具が提案されている（例えば、特許文献１参照）。
【０００６】
かかるケーブル挿入補助具は、圧着スリーブを両側から狭持するための一対のクランパを備えたホルダー部と、該ホルダー部の先端部に連続して漏斗状ないし凹曲面状に形成され、ケーブルの心線を導入するための導入部とを備える。
【０００７】
かかるケーブル挿入補助具は、導入部が漏斗形状ないし凹曲面形状に形成されていることにより、導入部の一端側の開口部が外側に向けて拡径しているため、導入部からホルダー部に保持された圧着スリーブ内に、他方のケーブルの心線を挿入しやすくなっている。
【０００８】
そして、ケーブル挿入補助具は、他方のケーブルの心線を、導入部からホルダー部に保持された圧着スリーブ内に挿入した後、一対のクランパを離間させて取り外すことで、圧着スリーブを圧縮できる状態にできるようになっている。
【先行技術文献】
【特許文献】
【０００９】
【特許文献１】特開２０１０−２９０４０号公報
【発明の概要】
【発明が解決しようとする課題】
【００１０】
しかしながら、この種のケーブル挿入補助具を用いても、作業者が遠方に離れた位置にある他方のケーブルの心線を圧着スリーブ内に挿入して接続する必要があり、挿入しやすさは改善できず、上記問題を解決することができない。また、上記ケーブル挿入補助具は、他方のケーブルの心線を圧着スリーブ内に挿入した後、他方のケーブルの心線を圧着スリーブに圧着させる際に、圧着スリーブからホルダー部（一対のクランパ）を、一旦外してから圧着作業を行わなければならない。従って、作業が煩雑になり、作業効率が悪いという問題があった。
【００１１】
そこで、本発明は、斯かる実情に鑑み、間接活線工法で遠方に離れた位置にある他方のケーブルの心線を圧着スリーブ内に容易に挿入することができ、煩雑な作業を伴うことなく圧着作業を行う状態にすることができるケーブル挿入補助具を提供することを課題とする。
【課題を解決するための手段】
【００１２】
本発明に係るケーブル挿入補助具は、分断されているケーブルを接続するために、一方のケーブルに取り付けた筒状の圧着スリーブに対して他方のケーブルの心線を挿入するためのケーブル挿入補助具において、前記一方のケーブルを狭持する狭持手段に取り付けられる取付部と、該取付部に対して一端側が連結されると共に、該一端側を支点にして下方に向けて傾倒可能に連結されたケーブル受け部と、該ケーブル受け部の姿勢を維持させるべく、前記ケーブル受け部を上方に向けて付勢するための付勢手段とを備え、前記ケーブル受け部は、前記狭持手段に狭持された前記一方のケーブルの長さ方向に延びる溝部を備え、該溝部は、前記長さ方向と直交する方向で前記圧着スリーブの移動を規制した状態で、該圧着スリーブを位置決め可能であると共に、他端側が開放して形成されていることを特徴とする。
【００１３】
上記構成のケーブル挿入補助具によれば、狭持手段又は取付部を間接活線工具で支持した状態で、狭持手段によって一方のケーブルを狭持するとともに、該一方のケーブルに取り付けた圧着スリーブをケーブル受け部の溝部内に配置すると、圧着スリーブが溝部内で前記長さ方向と直交する方向の移動が規制されて、位置決めされる。
【００１４】
この状態で、他方のケーブルをケーブル受け部の溝部内に配置すると、該他方のケーブルについても、前記長さ方向と直交する方向の移動が規制される。これにより、圧着スリーブと他方のケーブルとが、共通する溝部内で同列をなして位置決めされる。
【００１５】
そして、一方のケーブルを取り付けた圧着スリーブと他方のケーブルとが、共通する溝部内で同列をなして位置決めされた状態で、絶縁操作棒等を用いて他方のケーブルの心線を、ケーブル受け部の他端部側から該ケーブル受け部の溝部に沿わせて移動させることで、他方のケーブルの心線が、溝部内の圧着スリーブ内に挿入されることになる。このように、上記構成のケーブル挿入補助具によれば、他方のケーブルの心線を圧着スリーブ内に容易に挿入することができる。そして、他方のケーブルの心線を圧着スリーブ内に挿入した後、絶縁操作棒等を用いて、ケーブル受け部を、付勢手段の付勢力に抗して、ケーブル受け部の一端側を支点にして下方に向けて傾倒させる。そうすることで、該ケーブル受け部を、他方のケーブルが挿入された圧着スリーブから逃げた状態にすることができ、一方のケーブルの心線を取り付けた圧着スリーブと他方のケーブルの心線との圧着作業の際にケーブル受け部が邪魔にならず、圧着作業を行うための広い領域を確保して、圧着作業を行う状態にすることができる。
【００１６】
また、前記ケーブル受け部は、一端同士が接続されて互いに傾斜する一対の対向片間に前記溝部が形成されたケーブル受け部本体と、前記一対の対向片同士を接続した接続線に対して交差する方向に前記ケーブル受け部本体から垂下した把持片とを備えていることが好ましい。
【００１７】
上記構成のケーブル挿入補助具によれば、一対の対向片によって溝部をＶ字状に形成することができるため、一方のケーブルの心線を取り付けた圧着スリーブと他方のケーブルとが、それぞれ周方向における２箇所において、一対の対向片と線当りすることになる。従って、一方のケーブルの心線を取り付けた圧着スリーブと他方のケーブルとを、ケーブル受け部本体において位置決めすることができる。
【００１８】
また、絶縁ヤットコ等を用いて把持片を把持した状態で、把持片を下方に向けて移動させることにより、ケーブル受け部（ケーブル受け部本体）を、一端側を支点にして下方に向けて傾倒させることができる。このように、上記構成のケーブル挿入補助具は、ケーブル受け部（ケーブル受け部本体）を下方に向けて安定した状態で傾倒させることができるため、作業者の手ぶれ等によって、圧着スリーブ内に一旦挿入したケーブルが抜けることを防止することができる。
【００１９】
また、前記ケーブル受け部は、前記ケーブル受け部は、前記溝部の延びる方向に対して直交する方向に延びる軸周りで、前記取付部に対して回転可能に枢着されていることが好ましい。このようにすることで、取付部に対してケーブル受け部を円滑に傾倒させることができ、作業性を向上させることができる。
【００２０】
また、前記取付部に連結されて前記一方のケーブルを狭持可能に構成された狭持手段をさらに備え、前記狭持手段は、互いの一端側同士を接離可能に連結された一対のアーム部材と、該一対のアーム部材の一端側同士を互いに圧接させるための付勢手段とを備え、前記一対のアーム部材は、他端側に前記一端側を離間させるための把持部が形成されていることが好ましい。
【００２１】
このようにすることで、圧着スリーブ内が取り付けられた一方のケーブルを狭持手段によって確実に狭持することができ、ケーブル受け部における圧着スリーブの配置調整を行うことができる。また、狭持手段の何れかの部分(好ましくは把持部)を絶縁ヤットコ等で把持することにより、ケーブル挿入補助具全体を安定して支持することができる。
【発明の効果】
【００２２】
以上のように、本発明のケーブル挿入補助具によれば、間接活線工法で遠方に離れた位置にある他方のケーブルの心線を圧着スリーブ内に容易に挿入することができ、煩雑な作業を伴うことなく圧着作業を行う状態にすることができるといった優れた効果を奏し得る。
【図面の簡単な説明】
【００２３】
【図１】本発明の一実施形態に係るケーブル挿入補助具を用いて両ケーブルを圧着スリーブに接続する過程を示す図である。
【図２】同実施形態に係るケーブル挿入補助具を用いて両ケーブルを圧着スリーブに接続する過程を示す図である。
【図３】同実施形態に係るケーブル挿入補助具の斜視図を示す。
【図４】同実施形態に係るケーブル挿入補助具の平面図を示す。
【図５】本発明の他の実施形態に係るケーブル挿入補助具を用いて両ケーブルを圧着スリーブに接続する過程を示す図である。
【発明を実施するための形態】
【００２４】
以下、本発明の一実施形態に係るケーブル挿入補助具について、添付図面を参照しつつ説明する。
【００２５】
本実施形態に係るケーブル挿入補助具は、図１及び図２に示すように、分断されているケーブル１，２を接続するために、一方のケーブル１の心線１ａに取り付けた筒状の圧着スリーブ２０に対して他方のケーブル２の心線２ａを挿入するためのものである。
【００２６】
本実施形態に係るケーブル挿入補助具３０は、図３及び図４に示すように、一方のケーブル１を狭持する狭持手段１０に取り付けられる取付部３１と、該取付部３１に対して一端側が連結されると共に、該一端側を支点にして下方に向けて傾倒可能に連結されたケーブル受け部３３と、該ケーブル受け部３３の姿勢を維持させるべく、ケーブル受け部３３を上方に向けて付勢するための付勢手段３２ａ，３２ａとを備える。本実施形態に係るケーブル挿入補助具３０は、取付部３１に連結されて一方のケーブル１を狭持可能に構成された狭持手段（本実施形態では、クリップということとする）１０をさらに備えている。
【００２７】
本実施形態に係る取付部３１は、互いに対向する一対の対向片３１ａ，３１ａが、連結部３１ｂによって連結されて形成されている。本実施形態において、一対の対向片３１ａ，３１ａ同士は、下方側（クリップ１０の把持部１３，１３側）において連結部３１ｂによって連結されている。
【００２８】
また、取付部３１は、本実施形態において、一対の対向片３１ａ，３１ａのうち、一方の対向片３１ａが他方の対向片３１ａより長くなるように形成され、一方の対向片３１ａの一端部側が、クリップ１０の後述する一対のアーム部材１１，１１のうち一方のアーム部材１１に固定されており、対向する他方のアーム部材１１を拘束しないようになっている。そして、本実施形態において、取付部３１は、一対の対向片３１ａ，３１ａ間において一方のケーブル１を介装可能となっている。一対の対向片３１ａ，３１ａの他端部側は、軸３２，３２を介して、ケーブル受け部３３の一端部側に枢結されている。
【００２９】
ケーブル受け部３３は、本実施形態において、クリップ１０に狭持された一方のケーブル１の長さ方向に延びる溝部３５を備える。具体的には、ケーブル受け部３３は、金属板を折り曲げ加工して形成され、一端同士が接続されて互いに傾斜する一対の対向片３３ａ，３３ａ間に前記溝部３５が形成されたケーブル受け部本体３４と、一対の対向片３３ａ，３３ａ同士を接続した接続線Ｌに対して交差する方向にケーブル受け部本体３４から垂下した把持片３６とを備えている。
【００３０】
本実施形態において、ケーブル受け部３３は、溝部３５の延びる方向に対して直交する方向に延びる軸周りで、取付部３１（一対の対向片３３ａ，３３ａ）に対して回転可能に枢着されている。本実施形態においては、ケーブル受け部３３は、付勢手段３２ａ，３２ａの付勢力に抗して、軸３２，３２を支点にして下方に向けて傾倒可能に設けられている。
【００３１】
溝部３５は、一方のケーブル１の長さ方向と直交する方向で一方のケーブル１の移動を規制した状態で、該一方のケーブル１を位置決め可能であると共に、他端側が開放して形成されている。本実施形態においては、溝部３５は、一方のケーブルが取り付けられた圧着スリーブ２０側及び他方のケーブル２側において、深さが略同じ深さになるように形成されている。すなわち、溝部３５は、一方のケーブル１を取り付けた圧着スリーブ２０と、他方のケーブル２とが、共通の溝部３５で互いに位置決めされた状態になる。
【００３２】
クリップ１０は、互いの一端側同士を接離可能に連結された一対のアーム部材１１，１１と、該一対のアーム部材１１，１１の一端側同士を互いに圧接させるためのクリップ付勢手段１２とを備える。一対のアーム部材１１，１１は、他端側に前記一端側を離間させるための把持部１３，１３が形成されている。
【００３３】
すなわち、クリップ１０は、一対のアーム部材１１，１１の途中位置同士が枢着されており、クリップ付勢手段１２の付勢力に抗して、把持部１３，１３を把持することでアーム部材１１，１１の一端側を接離させ、該アーム部材１１，１１間で一方のケーブル１を狭持可能になっている。
【００３４】
本実施形態においては、付勢手段３２ａ，３２ａとして巻きバネが用いられている。各付勢手段（巻きバネ）３２ａは、ケーブル受け部３３と取付部３１とを枢結する各軸３２に巻回されており、一方の端部が取付部３１の一対の対向片３１ａ，３１ａの各対向片３１ａに固定されているとともに、他方の端部がケーブル受け部３３の各一端部側に固定されている。
【００３５】
本実施形態に係るケーブル挿入補助具３０の構成についての説明は以上の通りであり、次に、本実施形態に係るケーブル挿入補助具３０を用いて、一方のケーブル１及び他方のケーブル２の各心線１ａ、２ａを圧着スリーブ２０内に各端部側から挿入して接続する挿入接続作業について説明する。
【００３６】
両ケーブル１，２を、圧着スリーブ２０を介して接続するために、まず、作業者が、分断されているケーブル１，２のうち、一方のケーブル１の心線１ａを、手作業によって、筒状の圧着スリーブ２０の一端部側から該圧着スリーブ２０内に挿入して圧着する。
【００３７】
そして、図１に示すように、一方のケーブル１を取り付けた圧着スリーブ２０をケーブル受け部３３（ケーブル受け部本体３４）に載せて、該ケーブル受け部３３（ケーブル受け部本体３４）の溝部３５内に配置した状態で、クリップ１０によって一方のケーブル１を狭持する。そうすると、一方のケーブル１を取り付けた圧着スリーブ２０が、溝部３５内で一方のケーブル１の長さ方向と直交する方向の移動が規制されて、位置決めされる。
【００３８】
次に、絶縁ヤットコ等（図示せず）を用いて、他方のケーブル２をケーブル受け部３３（ケーブル受け部本体３４）に載せて、該ケーブル受け部３３（ケーブル受け部本体３４）の溝部３５内に配置すると、他方のケーブル２についても、一方のケーブル１の長さ方向と直交する方向の移動が規制される。
【００３９】
この状態で、他方のケーブル２の心線２ａを、一方のケーブル１を取り付けた圧着スリーブ２０に接近させるべく、ケーブル受け部３３（ケーブル受け部本体３４）の他端部側から（図１中の矢印Ｃの方向に）、溝部３５に沿わせて移動させる。すると、一方のケーブル１を取り付けた圧着スリーブ２０と他方のケーブル２とが、共通する溝部３５内で同列をなして位置決めされた状態になる。
【００４０】
そして、一方のケーブル１を取り付けた圧着スリーブ２０と、他方のケーブル２とが、共通する溝部３５内で同列をなして位置決めされた状態で、絶縁ヤットコ等（図示せず）を用いて、他方のケーブル２の心線２ａを、圧着スリーブ２０の他端端側から該圧着スリーブ２０内に挿入する。このようにすることで、他方のケーブルの心線を圧着スリーブ内に容易に挿入することができる。
【００４１】
次に、他方のケーブル２の心線２ａを圧着スリーブ２０内に挿入した後、絶縁ヤットコ等（図示せず）を用いて把持片３６を把持した状態で、図２に示すように、付勢手段３２ａ，３２ａの付勢力に抗して、把持片３６を下方に向けて移動させる（押し下げる）ことで、ケーブル受け部３３(ケーブル受け部本体３４)を、一端側（本実施形態においては、軸３２，３２）を支点にして下方に向けて（本実施形態においては、他方のケーブル２が挿入された圧着スリーブ２０から離間する方向、図１中の矢印Ａの方向に）傾倒させる。
【００４２】
そうすることで、ケーブル受け部３３（ケーブル受け部本体３４）を、他方のケーブル２が挿入された圧着スリーブ２０から逃げた状態にすることができ、一方のケーブル１の心線１ａを取り付けた圧着スリーブ２０と他方のケーブル２の心線２ａとの圧着作業の際に、ケーブル受け部３３(ケーブル受け部本体３４)が邪魔にならず、圧着作業を行うための広い領域を確保して、圧着作業を行う状態にすることができる。
【００４３】
その後、絶縁操作棒に取り付けた圧着工具によって圧着スリーブ２０を圧縮することで、他方のケーブル２の心線２ａを圧着スリーブ２０に圧着し、両心線１，２を接続することができる。
【００４４】
そして、両ケーブル１，２の圧着スリーブ２０への挿入接続作業が終了後、絶縁ヤットコ等による把持片３６の把持を解除すると、ケーブル受け部３３(ケーブル受け部本体３４)は、付勢手段３２ａ，３２ａの付勢力によって上方に向けて付勢されて、一端側（本実施形態においては、軸３２，３２）を支点にして上方に向けて（本実施形態においては、他方のケーブル２が挿入された圧着スリーブ２０に接近する方向、図１中の矢印Ｂの方向）に移動し、元の姿勢に維持されるようになっている。
【００４５】
この状態で、クリップ１０による一方のケーブル１の狭持を解除して、両ケーブル１，２から挿入補助具３０を取り外すことで、挿入補助具３０を使用して次の作業を行う状態に戻すことができる。
【００４６】
以上のように、本実施形態に係るケーブル挿入補助具３０は、一方のケーブル１を狭持する狭持手段としてのクリップ１０に取り付けられる取付部３１，３１と、該取付部３１，３１に対して一端側が連結されると共に、該一端側を支点にして下方に向けて傾倒可能に連結されたケーブル受け部３３と、該ケーブル受け部３３の姿勢を維持させるべく、ケーブル受け部３３を上方に向けて付勢するための付勢手段３２ａ，３２ａとを備え、ケーブル受け部３３は、クリップ１０に狭持された一方のケーブル１の長さ方向に延びる溝部３５を備え、該溝部３５は、前記長さ方向と直交する方向で圧着スリーブ２０の移動を規制した状態で、該圧着スリーブ２０を位置決め可能であると共に、他端側が開放して形成されているため、圧着スリーブ２０と他方のケーブル２とを、共通する溝部３５内で同列をなして位置決めすることができ、他方のケーブル２の心線２ａを圧着スリーブ２０内に容易に挿入することができる。
【００４７】
また、本実施形態に係るケーブル挿入補助具３０は、ケーブル受け部３３を、他方のケーブル２が挿入された圧着スリーブ２０から逃げた状態にすることができ、一方のケーブル１の心線１ａを取り付けた圧着スリーブ２０と他方のケーブル２の心線２ａとの圧着作業の際にケーブル受け部３３が邪魔にならず、圧着作業を行うための広い領域を確保して、圧着作業を行う状態にすることができる。
【００４８】
さらに、本実施形態に係るケーブル挿入補助具３０によれば、ケーブル受け部３３は、一端同士が接続されて互いに傾斜する一対の対向片３３ａ，３３ａ間に溝部３５が形成されたケーブル受け部本体３４を備えているため、一対の対向片３３ａ，３３ａによって溝部３５をＶ字状に形成することができ、一方のケーブル１の心線１ａを取り付けた圧着スリーブ２０と他方のケーブル２とを、一対の対向片３３ａ，３３ａと線当りさせることで、ケーブル受け部３３（ケーブル受け部本体３４）において位置決めすることができる。
【００４９】
また、ケーブル受け部３３は、一対の対向片３３ａ，３３ａ同士を接続した接続線に対して交差する方向にケーブル受け部本体３４から垂下した把持片３６を備えているため、絶縁ヤットコ等を用いて把持片３６を把持して安定した状態で傾倒させることができる。
【００５０】
また、ケーブル受け部３３は、溝部３５の延びる方向に対して直交する方向に延びる軸周りで、取付部３１に対して回転可能に枢着されているため、取付部３１に対してケーブル受け部３３（ケーブル受け部本体３４）を円滑に傾倒させることができ、作業性を向上させることができる。
【００５１】
また、本実施形態に係るケーブル挿入補助具３０は、取付部３１に連結されて一方のケーブル１を狭持する狭持手段としてクリップ１０をさらに備えているため、圧着スリーブ２０内に取り付けられた一方のケーブル１をクリップ１０によって確実に狭持することができ、ケーブル受け部３３における圧着スリーブ２０の配置調整を行うことができる。また、クリップ１０の何れかの部分(好ましくは把持部)を絶縁ヤットコ等で把持することにより、ケーブル挿入補助具３０全体を安定して支持することができる。
【００５２】
なお、本発明は、上記実施形態に限定されるものではなく、本発明の要旨を逸脱しない範囲で適宜変更し得ることは勿論のことである。
【００５３】
上記実施形態において、ケーブル挿入補助具３０は、一方のケーブル１を狭持する狭持手段１０としてクリップを備えるようにしたが、これに限定されず、例えば、取付部３１を、絶縁ヤットコ等に直接取り付け、絶縁ヤットコ等の狭持部を一方のケーブル１を狭持するための狭持手段としてもよい。
【００５４】
上記実施形態において、ケーブル受け部３３（ケーブル受け部本体３４）は、金属板を折り曲げ加工して形成されているが、これに限定されず、例えば、金属板を曲面状にして形成してもよい。このようにしても溝部を形成でき、上記と同じ効果を得ることができる。
【００５５】
上記実施形態において、ケーブル受け部３３（ケーブル受け部本体３４）の溝部３５は、圧着スリーブ２０内に挿入された一方のケーブル１側及び他方のケーブル２側において、深さが略同じ深さになるように形成されているが、これに限定されず、例えば、圧着スリーブ２０の外径が他方のケーブル２の外径よりも大きい場合、図５に示すように、ケーブル受け部３３（ケーブル受け部本体３４）の溝部３５において、圧着スリーブ２０側の溝部３５の深さが、一方のケーブル１側の溝部３５の深さより深くなるように段部３７を形成してもよい。
【００５６】
このようにすれば、圧着スリーブ２０の外径が他方のケーブル２の外径よりも大きい場合でも、圧着スリーブ２０に取り付けた一方のケーブル１の心線１ａの軸心と、他方のケーブル２の心線２ａの軸心とを、ケーブル受け部３３（ケーブル受け部本体３４）において容易に一致させることができ、他方のケーブル２の心線２ａを圧着スリーブ２０内に挿入しやすくすることができる。
【００５７】
上記実施形態において、軸３２，３２で枢結するとともに、付勢手段３２ａ，３２ａとしての巻きバネを備えるようにしたが、これに限定されず、例えば、ケーブル受け部３３（ケーブル受け部本体３４）と取付部３１とを弾性変形可能な薄い金属板状（曲がるような形状）で連結してもよい。すなわち、ケーブル受け部３３（ケーブル受け部本体３４）に下向きの力を作用させることで、ケーブル受け部３３（ケーブル受け部本体３４）が圧着スリーブ２０から離間する方向に曲がるような構成にしてもよい。この場合、連結部及びケーブル受け部３３（ケーブル受け部本体３４）が両ケーブル１，２及び圧着スリーブ２０を支持することができるだけの十分な剛性を有していることは言うまでもない。
【００５８】
また、ケーブル受け部３３（ケーブル受け部本体３４）の一対の対向片３３ａ，３３ａに窓部を設け、該窓部から両ケーブル１，２の圧着スリーブ２０内への挿入や両ケーブル１，２の接続状況を目視することができるようにしてもよい。
【符号の説明】
【００５９】
１…一方のケーブル、１ａ…心線、２…他方のケーブル、２ａ…心線、１０…狭持手段（クリップ）、１１,１１…一対のアーム部材、１２…クリップ付勢手段、１３，１３…把持部、２０…圧着スリーブ、３０…ケーブル挿入補助具、３１…取付部、３１ａ，３１ａ…一対の対向片、３１ｂ…連結部、３２，３２…軸、３２ａ，３２ａ…付勢手段（巻きバネ）、３３…ケーブル受け部、３３ａ，３３ａ…一対の対向片、３４…ケーブル受け部本体、３５…溝部、３６…把持片、３７…段部
【図１】
0005705589.tif 000002
【図２】
0005705589.tif 000003
【図３】
0005705589.tif 000004
【図４】
0005705589.tif 000005
【図５】
0005705589.tif 000006